(57)【要約】【課題】  光源の冷却効率を向上させて発光効率の低下を防止するプロジェクタを提供する。【解決手段】  同色の光を複数の光源（赤色光は、第１Ｒ光源２１１と第２Ｒ光源２１２、緑色光は第１Ｇ光源２２１と第２Ｇ光源２２２、青色光は第１Ｂ光源２３１と第２Ｂ光源２３２）により光学変換部を構成するロッドインテグレータ１００に出射する光源構成部２００と、プロジェクタ１の外装を構成し、外面側にフィン７０を有する熱伝導性の筐体１０（上ケース１１）と、光源構成部２００の光源において発熱する熱を筐体１０（上ケース１１）に伝熱する伝熱部材としての熱伝導性シート８００とを有して構成する。【選択図】      図２
2006337425.tif 000002
【特許請求の範囲】
【請求項１】
画像データに基づいて光源からの光を光学変換部により映像に変換し、映像を投写するプロジェクタであって、
同色の光を複数の前記光源により前記光学変換部に出射する光源構成部と、
前記プロジェクタの外装を構成し、外面側にフィンを有する熱伝導性の筐体と、
前記光源構成部の前記光源において発熱する熱を前記筐体に伝熱する伝熱部材とを有して構成されることを特徴とするプロジェクタ。
【請求項２】
請求項１に記載のプロジェクタであって、
前記光源は、前記筐体の平面領域に分散されて配設されることを特徴とするプロジェクタ。
【請求項３】
請求項１または請求項２に記載のプロジェクタであって、
前記筐体に設置され、前記フィンに空気を送風する冷却ファンと、
前記フィンを覆い前記筐体に固定され、前記冷却ファンから送風される空気を前記フィンの間に流動するためのカバー部材とを有することを特徴とするプロジェクタ。
【発明の詳細な説明】
【技術分野】
【０００１】
本発明は、映像を投写するプロジェクタに関する。詳しくは、プロジェクタの冷却構造に関する。
【背景技術】
【０００２】
従来、プロジェクタで発生する熱に対しての冷却構造は、例えば、特許文献１に記載されるように、筐体内部に設置される樹脂製光学シャーシの底面の一部を開口し、同開口部に補助放熱板を固定し、同補助放熱板に電源基板の放熱板を当接または固定することにより、放熱板の熱を補助放熱板に伝熱し、樹脂製光学シャーシ内の吸気口及び排気口にそれぞれ設けるファンにより流風する空気で放熱させるものが知られている。なお、従来から、プロジェクタの光源は、超高圧水銀ランプなどの放電式の光源を使用する場合には、１個のランプを使用して、３色（赤色光、緑色光、青色光）の色光に分離して使用している。また、光源にＬＥＤ（Light Emitting Diode）素子を使用する場合には、３色の色光を出射するように、各色光を出射するＬＥＤ（Light Emitting Diode）光源をそれぞれ１個ずつ使用している。
【０００３】
【特許文献１】特開平１１−２３７６９０号公報
【発明の開示】
【発明が解決しようとする課題】
【０００４】
しかしながら、特許文献１に記載される構成は、樹脂製の光学シャーシであること、また、樹脂製光学シャーシは、筐体内部に設置されていること、また、補助放熱板は、樹脂製光学シャーシの底面の一部を開口し、その開口部に対応する大きさで固定するだけの形状であることなどにより、補助放熱板に伝熱された熱が、ファンにより流風する空気では放熱しづらく、冷却効率が低下するという課題がある。
【０００５】
ＬＥＤ光源は、半導体の素子であり、温度条件により発光する光量が左右される。また、ＬＥＤ光源は、近年、輝度が向上してきている。これらにより、ＬＥＤ光源は、発生する発熱量が多くなり、十分に冷却しないとＬＥＤ光源の発光効率を低下させるという課題がある。
【０００６】
本発明は、上記課題に鑑みてなされたものであり、光源の冷却効率を向上させて発光効率の低下を防止するプロジェクタを提供することを目的とする。
【課題を解決するための手段】
【０００７】
上述した目的を達成するために、本発明は、画像データに基づいて光源からの光を光学変換部により映像に変換し、映像を投写するプロジェクタであって、同色の光を複数の光源により光学変換部に出射する光源構成部と、プロジェクタの外装を構成し、外面側にフィンを有する熱伝導性の筐体と、光源構成部の光源において発熱する熱を筐体に伝熱する伝熱部材とを有して構成されることを特徴とする。
【０００８】
このようなプロジェクタによれば、光源構成部は、同色の光を複数の光源により光学変換部に出射する。プロジェクタの光学系が、例えば、３色（赤色光、緑色光、青色光）の色光を使用する光学系であるとした場合、同色の光として、例えば赤色光を考えた場合、赤色光を出射する複数の光源を用いて赤色光を出射させる。それにより、１つの光源を用いて出射する場合の発熱に対して、複数の光源を用いて出射させる場合には、発熱量を各光源に分けることができる。よって、複数の光源を用いて出射させる場合には、各光源に発生する熱を冷却することができ、その結果、各光源の発光効率の低下を防止できる。
【０００９】
また、複数の光源で発生する分けられた熱は、伝熱部材により筐体に伝熱する。そして、プロジェクタの外装を構成すると共に熱伝導性である筐体は、伝熱された熱を筐体の外面側の全面から外気の対流により放熱させて冷却することができる。また、筐体の外面側に有するフィンにより放熱するため、放熱効率を向上させることができる。従って、光源構成部が有する各光源で発生する熱の冷却効率を向上させることが可能となる。その結果、各光源の発光効率の低下を防止できる。
【００１０】
上記プロジェクタにおいて、光源は、筐体の平面領域に分散されて配設されることが好ましい。このようなプロジェクタによれば、光源は、筐体の平面領域に分散されて配設されることにより、複数の光源で発生した熱が筐体の平面領域に分散されて伝熱することになり、光源の冷却効率が更に向上する。その結果、各光源の発光効率の低下を防止できる。
【００１１】
上記プロジェクタにおいて、筐体に設置され、フィンに空気を送風する冷却ファンと、フィンを覆い筐体に固定され、冷却ファンから送風される空気をフィンの間に流動するためのカバー部材とを有することが好ましい。
【００１２】
このようなプロジェクタによれば、カバー部材によりフィンが覆われ、冷却ファンから送風される空気が流動する。それにより、フィンでの放熱効率が更に向上し、発熱する光源の冷却効率を更に向上させることが可能となる。その結果、各光源の発光効率の低下を防止できる。
【発明を実施するための最良の形態】
【００１３】
以下、本発明の実施形態を図面に基づいて説明する。
（実施形態）
【００１４】
図１は、本発明の実施形態に係るプロジェクタの概略斜視図である。図１を用いて、プロジェクタ１の外観の構成を概略説明する。
【００１５】
プロジェクタ１の外観面である全６面に対して、構成の説明のために、上面部１ａ、前面部１ｂ、左側面部１ｃ、右側面部１ｄ、背面部１ｅ、底面部１ｆとして示す。
【００１６】
図１に示すように、プロジェクタ１は、プロジェクタ１の外装を構成する略直方体形状の筐体１０と、プロジェクタ１の上面部１ａの略全領域を覆うカバー部材６００とを有して構成される。
【００１７】
筐体１０は、上ケース１１と下ケース１２（図５に図示）とで構成される。上ケース１１は、熱伝導性を有し、しかも熱伝導率が高いアルミニウム合金で形成され、プロジェクタ１の上面部１ａ、前面部１ｂ、左側面部１ｃ、右側面部１ｄ、背面部１ｅの外装を構成する。また、下ケース１２は、上ケース１１と同様に熱伝導性を有し、熱伝導率が高いアルミニウム合金で形成され、プロジェクタ１の底面部１ｆの外装を構成する。なお、上ケース１１と下ケース１２は、ネジ（図示省略）により固定される。
【００１８】
上ケース１１側の上面部１ａには、カバー部材６００が上ケース１１の上面部１ａを覆うように載置されている。なお、上ケース１１の上面部１ａには、後述する冷却用のフィン７０が形成され、また、冷却ファン８０が設置されている。カバー部材６００は、上ケース１１の左側面部１ｃと右側面部１ｄとにネジにより固定される。
【００１９】
右側面部１ｄには、プロジェクタ１内部に備えるスピーカ３７（図６に図示）から出力される音を放音する放音孔（図示省略）が形成されている。
【００２０】
前面部１ｂには、投写レンズユニット４００を構成する投写レンズ４１０及び投写レンズ４１０を保持する投写レンズ保持部材４２０の先端部が筐体１０から延出して備えられている。また、プロジェクタ１の動作を制御するために、リモートコントローラ（以降、リモコンと称する）５０からの信号を受信するリモコン受光部１６が設けられている。
【００２１】
背面部１ｅには、上ケース１１に形成されるフィン７０と、カバー部材６００とによって排気孔７５が構成されている。また、後述する電源コネクタ４２（図６に図示）を構成し、プロジェクタ１とは別に備える電源アダプタ（図示省略）が有するプラグ５３（図６に図示）と接続するコネクタ（図示省略）などが設けられている。筐体１０の底面部１ｆには、プロジェクタ１を支える脚１７（図５に図示）が設けられている。
【００２２】
カバー部材６００は、熱伝導性を有し、熱伝導率が高いアルミニウム合金で、断面Ｕ字形状に形成されている。また、カバー部材６００には、冷却ファン８０に相対する位置に複数のスリット状の孔を形成して吸気孔６１０が構成されている。そして、投写レンズ保持部材４２０を逃げる形状で構成される。
【００２３】
上ケース１１に固定されるカバー部材６００は、上ケース１１の上面部１ａ、前面部１ｂ、左側面部１ｃ、右側面部１ｄ及び背面部１ｅの外面から突出せず略同一面となるように設定されており、プロジェクタ１として一体感を出す外観面となっている。
【００２４】
図２は、プロジェクタの光学系を底面部側から見た概略平面図である。また、図３は、プロジェクタの光学系において、赤色光での構成を示す概略斜視図である。図２及び図３を用いて、プロジェクタ１の光学系の構成と動作を説明する。
【００２５】
図２及び図３を用いて光学系の構成を説明する。
プロジェクタ１の光学系は、光源構成部２００と、光学変換部と、投写光学部とから構成される。光源構成部２００は、ＬＥＤ光源を採用しており、Ｒ（赤色光）光源２１０とＧ（緑色光）光源２２０とＢ（青色光）光源２３０とで構成される。光学変換部は、照明光学系と、色変調光学系と、色合成光学系とにより構成される。投写光学部は、投写レンズユニット４００で構成される。
【００２６】
光源構成部２００は、３色（Ｒ，Ｇ，Ｂ）の色光を、各色光に対して２個ずつの光源を用いて発光させている。詳細には、Ｒ光源２１０は、第１Ｒ光源２１１と第２Ｒ光源２１２との２個の光源で構成される。同様に、Ｇ光源２２０は、第１Ｇ光源２２１と第２Ｇ光源２２２とで構成され、Ｂ光源２３０は、第１Ｂ光源２３１と第２Ｂ光源２３２とで構成される。また、各光源には、出射した色光を集光する集光レンズを有している。
【００２７】
光学変換部を構成する照明光学系は、ロッドインテグレータ１００で構成される。ロッドインテグレータ１００は、Ｒ（赤色光）ロッドインテグレータ１１０とＧ（緑色光）ロッドインテグレータ１２０とＢ（青色光）ロッドインテグレータ１３０とで構成される。また、光源構成部２００が、各色光に対して２個ずつの光源により色光を作るのに合わせて、ロッドインテグレータ１００も各光源に対応させて構成されている。
【００２８】
詳細には、Ｒロッドインテグレータ１１０は、第１Ｒロッドインテグレータ１１１と第２Ｒロッドインテグレータ１１２とそれを合わせるための集合Ｒロッドインテグレータ１１３とで構成される。また、同様に、Ｇロッドインテグレータ１２０は、第１Ｇロッドインテグレータ１２１と第２Ｇロッドインテグレータ１２２とそれを合わせるための集合Ｇロッドインテグレータ１２３とで構成される。Ｂロッドインテグレータ１３０は、第１Ｂロッドインテグレータ１３１と第２Ｂロッドインテグレータ１３２とそれを合わせるための集合Ｂロッドインテグレータ１３３とで構成される。
【００２９】
光学変換部を構成する色変調光学系は、液晶ライトバルブ３００で構成される。そして、液晶ライトバルブ３００は、Ｒ（赤色光）ライトバルブ３１０とＧ（緑色光）ライトバルブ３２０とＢ（青色用）ライトバルブ３３０との３枚の液晶ライトバルブ３００で構成される。光学変換部を構成する色合成光学系は、クロスダイクロイックプリズム５００で構成される。
【００３０】
投写光学部は、投写レンズユニット４００で構成される。詳細には、各種レンズから構成される投写レンズ４１０と、投写レンズ４１０を保持収容する投写レンズ保持部材４２０と、投写レンズ保持部材４２０をプロジェクタ１内に固定する投写レンズ固定部材４３０とから構成される。
【００３１】
図２及び図３を用いて光学系の動作を説明する。説明の便宜上、赤色光用の光源であるＲ光源２１０を基にして説明を行う。
【００３２】
Ｒ光源２１０は、赤色光を出射する２個の光源である第１Ｒ光源２１１と第２Ｒ光源２１２とで構成されている。そして、第１Ｒ光源２１１で発光した赤色光は、第１Ｒ光源２１１に有する集光レンズにより集光されて出射される。集光された赤色光は、第１Ｒロッドインテグレータ１１１の光入射面１１１Ａに入射する。入射した赤色光は、第１Ｒロッドインテグレータ１１１の内部を全反射を繰返して光出射面１１１Ｂから出射する。ここで、第１Ｒロッドインテグレータ１１１の光出射面１１１Ｂは、直方体形状をなす集合Ｒロッドインテグレータ１１３の光入射面１１３Ａの図中下側に接合されており、光出射面１１１Ｂから出射した赤色光をすべて光入射面１１３Ａに入射させることができる。
【００３３】
第２Ｒ光源２１２および第２Ｒロッドインテグレータ１１２においても、上述したと同様に動作を行い、集合Ｒロッドインテグレータ１１３の光入射面１１３Ａの図中上側に入射する。第２Ｒロッドインテグレータ１１２の光出射面１１２Ｂも第１Ｒロッドインテグレータ１１１の光出射面１１１Ｂと同様に、集合Ｒロッドインテグレータ１１３の光入射面１１３Ａの図中上側に接合されており、光出射面１１２Ｂから出射した赤色光をすべて光入射面１１３Ａに入射させることができる。
【００３４】
集合Ｒロッドインテグレータ１１３の光入射面１１３Ａに、第１Ｒロッドインテグレータ１１１の光出射面１１１Ｂと第２Ｒロッドインテグレータ１１２の光出射面１１２Ｂから入射した赤色光は、集合Ｒロッドインテグレータ１１３の内部を直進して、あるいは側面で１回若しくは複数回全反射されて、光出射面１１３Ｂから出射する。この動作により、集合Ｒロッドインテグレータ１１３の光入射面１１３Ａに入射した赤色光の密度分布に関係なく、光出射面１１３Ｂの全面から均一な密度分布で赤色光を出射することができ、その結果、赤色光の照度（輝度分布）を均一化することができる。
【００３５】
集合Ｒロッドインテグレータ１１３の光出射面１１３Ｂから出射した均一化された赤色光は、光出射面１１３Ｂの面に近接されて設置される色変調光学系であるＲライトバルブ３１０に照射される。そして、赤色光は、Ｒライトバルブ３１０を透過することにより、変調され出射する。本実施形態では、透過型の液晶ライトバルブを用いている。本発明はこれに限定されるものではなく、反射型の液晶ライトバルブを用いても良い。
【００３６】
赤色光を基にして、Ｒ光源２１０からＲライトバルブ３１０で変調され出射するまでの動作を説明した。緑色光及び青色光に関しても、赤色光と同様の構成であり、動作も同様となるため、詳細な説明は省略する。
【００３７】
緑色光においては、Ｇ光源２２０から集光され出射された緑色光は、Ｇロッドインテグレータ１２０により、照度を均一化され出射する。出射した緑色光は、Ｇライトバルブ３２０に入射して、透過することにより変調されて出射する。同様に、青色光においては、Ｂ光源２３０から集光され出射された青色光は、Ｂロッドインテグレータ１３０により、照度を均一化され出射する。出射した青色光は、Ｂライトバルブ３３０に入射して、透過することにより変調されて出射する。
【００３８】
上述したように、各液晶ライトバルブ３００（３１０，３２０，３３０）から出射した赤色光、緑色光及び青色光は、色合成光学系であるクロスダイクロイックプリズム５００に異なる３方向（図示下方向、図示右方向、図示上方向）から入射する。
【００３９】
クロスダイクロイックプリズム５００は、４つの直角プリズムが貼り合わされ、その内面に赤色光を反射する誘電多層膜と青色光を反射する誘電多層膜とが十字状に形成されている。なお、緑色光は、両方の誘電多層膜を透過する。このクロスダイクロイックプリズム５００により、各色光（赤色光、緑色光、青色光）が合成されて図示左方向にカラー画像として出射される。このカラー画像の光は、投写光学部である投写レンズユニット４００を介して拡大投写され、プロジェクタ１の外部に設置したスクリーン５２（図６に図示）などにカラー画像が投影される。
【００４０】
なお、本実施形態では、緑色光用の第１Ｇロッドインテグレータ１２１と第２Ｇロッドインテグレータ１２２には、ＰＢＳ（偏向ビームスプリッタ）が構成されている。ＰＢＳにより、緑色光はＳ偏向された光として導かれる。また、赤色光用の第１Ｒロッドインテグレータ１１１と第２Ｒロッドインテグレータ１１２、及び、青色光用の第１Ｂロッドインテグレータ１３１と第２Ｂロッドインテグレータ１３２にもＰＢＳが構成されており、ＰＢＳにより、赤色光と青色光は、Ｐ偏向された光として導かれる。これにより、各色光の利用効率を向上させている。本発明はこれに限定されるものではなく、赤色光・緑色光・青色光が、Ｓ偏向・Ｐ偏向・Ｓ偏向の組合わせでも良いし、Ｐ偏向・Ｐ偏向・Ｐ偏向の組合わせでも良い。光学設計により、適宜選択することで良い。
【００４１】
プロジェクタ１内における光源構成部２００の配置に関して説明する。
第２Ｒ光源２１２と第１Ｒ光源２１１は、図示下側の左右コーナー近傍に配設している。また、第２Ｂ光源２３２と第１Ｂ光源２３１は、図示上側の左右コーナー近傍に配設している。そして、第１Ｇ光源２２１と第２Ｇ光源２２２は、図示中央右側で、集合Ｇロッドインテグレータ１２３の図示上下方向に設置している。
【００４２】
上述したように、光源構成部２００を構成する各光源（Ｒ光源２１０、Ｇ光源２２０、Ｂ光源２３０）は、プロジェクタ１内において分散されて配設されている。詳細には、各光源は、筐体１０を構成する上ケース１１の上面部１ａに相対する内面１ｇの平面領域に分散されて配設されている。
【００４３】
図４は、プロジェクタの上ケースを上面から見た概略平面図である。図４を用いて、上ケース１１の上面部１ａに形成されるフィン７０と、設置される冷却ファン８０に関して構成を説明する。
【００４４】
上ケース１１には、投写レンズユニット４００が固定され、一部が上面部１ａに突出している。その投写レンズユニット４００の突出した図示上下方向には、冷却ファン８０が配設される。冷却ファン８０は、第１冷却ファン８１と第２冷却ファン８２との２つを有して配設される。また、冷却ファン８０の送風方向（冷却ファン８０に対して図示右方向）には冷却ファン８０からの送風を導く形状で冷却用のフィン７０が形成されている。また、フィン７０は、上ケース１１の上面部１ａの投写レンズユニット４００及び冷却ファン８０を除く略全面に形成されている。このようにフィン７０を形成することにより、表面積を拡大して放熱の効率を向上させている。なお、冷却ファン８０は、フィン７０と平面的に重ならないように設置することで、プロジェクタ１の厚みを薄くしている。
【００４５】
図５は、プロジェクタの冷却構造を示す概略断面図である。図４及び図５を用いて、プロジェクタ１の冷却構造の構成及び冷却動作を説明する。
【００４６】
プロジェクタ１の冷却構造の構成を説明する。
図５に示すように、プロジェクタ１の光学系を構成する光源構成部２００と、光学変換部（ロッドインテグレータ１００、液晶ライトバルブ３００、クロスダイクロイックプリズム５００）と、投写光学部（投写レンズユニット４００）は上ケース１１の上面部１ａの内面１ｇに配設及び固定される。配設及び固定するために、上ケース１１の内面１ｇには、配設及び固定用に形成された部位を有している（個々の部位の図示は省略）。また、プロジェクタ１の回路系（図６で説明する）の各部を構成する回路素子を実装した回路ユニット７００は、下ケース１２の内面１ｈにネジにより固定される。
【００４７】
光源構成部２００は、光源ケーブル７１０を介して回路ユニット７００に接続される。また、液晶ライトバルブ３００は、ライトバルブケーブル７２０を有して回路ユニット７００と接続される。
【００４８】
光源構成部２００を構成する各光源（Ｒ光源２１０、Ｇ光源２２０、Ｂ光源２３０）には、熱伝導率の高いフレキシブルなアルミニウムを主成分とする伝熱部材としての熱伝導性シート８００が貼付され、上ケース１１の内面１ｇの各光源の位置に相対する領域に貼付される。この構成により、各光源で発生する熱を上ケース１１の上面部１ａに伝熱させている。
【００４９】
カバー部材６００は、上ケース１１に載置することにより、上ケース１１の上面部１ａに形成するフィン７０の天面と当接する。それにより、上ケース１１とフィン７０とカバー部材６００とにより、空気が流動するための流路７２が複数形成される。また、形成された流路７２は、図５の図中右端部がプロジェクタ１の外部に連通される状態となり、複数の排気孔７５が形成される。
【００５０】
プロジェクタ１の冷却構造での冷却動作を説明する。
冷却ファン８０が動作することにより、冷却ファン８０は、カバー部材６００に形成される吸気孔６１０から外気を吸気し、冷却ファン８０の送風孔８５から空気を隣り合うフィン７０の間に形成された流路７２に送風する。
【００５１】
冷却ファン８０により送風される空気は、流路７２を流動する。このとき、流路７２を流動する空気により、上ケース１１に伝熱した各光源からの熱は、上ケース１１の上面部１ａの表面とフィン７０との表面から放熱して、流動する空気と共に排気孔７５からプロジェクタ１の外に排気される。図５に矢印で示す方向に空気は流動する。
【００５２】
上述した空気の流動によるサイクルを繰返すことにより、上ケース１１に伝熱する熱は、放熱され、冷却される。それにより、上ケース１１の内面１ｇに接続する熱伝導性シート８００を介して、各光源（Ｒ光源２１０、Ｇ光源２２０、Ｂ光源２３０）が冷却される。
【００５３】
図６は、プロジェクタの回路系を構成する回路ブロック図である。図６を用いて、プロジェクタ１の回路構成及び動作を簡単に説明する。
【００５４】
プロジェクタ１は、パソコン（パーソナルコンピュータ）５１と無線により接続される。そして、プロジェクタ１は、アンテナ３０、通信部３１、信号変換部３２、画像処理部３３、ＬＣＤ（Liquid Crystal Display）駆動部３４、ＬＥＤ（Light Emitting Diode）制御部３９、音声処理部３５、増幅部３６、スピーカ３７、冷却ファン制御部４０、冷却ファン８０、リモコン５０の信号を受信するリモコン信号受信部４１と、電源コネクタ４２、プロジェクタ１の動作全体を統括制御する制御部３８及び光学系などを有して構成される。
【００５５】
プロジェクタ１の各回路部の動作を説明する。
プロジェクタ１は、アンテナ３０及び通信部３１により、パソコン５１からの符号化された画像データ（静止画像データ及び動画像データ）や音声データなどを受信する。受信した画像データや音声データは、信号変換部３２により複合化され、画像データは、画像処理部３３に出力され、音声データは、音声処理部３５に出力される。
【００５６】
画像処理部３３は、信号変換部３２から入力した画像データに、フレームレート変換およびスケーリング処理などを行う。また、画像処理部３３は、画像データにブライトネス調整、コントラスト調整、ガンマ補正処理などの各種の画像補正も併せて行う。このように加工された画像データは、投写用映像信号としてＬＣＤ駆動部３４に出力される。ＬＣＤ駆動部３４は、画像処理部３３から入力した投写用映像信号に基づき、液晶ライトバルブ３００を駆動する。
【００５７】
音声処理部３５は、信号変換部３２から入力したデジタル信号である音声データを、アナログ信号に変換し、増幅部３６により増幅し、スピーカ３７により音声として放音孔を介して放音する。
【００５８】
ＬＥＤ制御部３９は、制御部３８の信号に基づいて、各光源（Ｒ光源２１０、Ｇ光源２２０、Ｂ光源２３０）の輝度調光を行う。具体的には、画像のシーンに対応させて、各光源を駆動する駆動周波数やデューティー比を変化させている。これにより、明るいシーンでは、駆動周波数を上げるまたはデューティー比の「ＯＮ」時間を長くすることにより、光源を明るく発光させる。また、暗いシーンでは、逆に、駆動周波数を下げるまたはデューティー比の「ＯＮ」時間を短くすることにより、各光源の発光を抑えて暗くさせる制御を行う。
【００５９】
冷却ファン制御部４０は、制御部３８の信号に基づいて、冷却ファン８０を制御して駆動させる。
【００６０】
リモコン信号受信部４１は、リモコン５０から送信された信号をリモコン受光部１６（図１に図示）を介して受信し、制御部３８に出力する。なお、リモコン５０は、赤外線を用いた通信を行っている。
【００６１】
制御部３８は、回路系としての回路ユニット７００や、光学系を含め、プロジェクタ１の動作全体を統括制御している。
【００６２】
プロジェクタ１を駆動するための電力は、プロジェクタ１とは別に備える電源アダプタ（図示省略）を介して供給される。それにより、電源コネクタ４２を備えて、電源アダプタが有するプラグ５３と接続される。
【００６３】
上述した、実施形態によれば以下の効果が得られる。
（１）本実施形態によれば、光源構成部２００は、Ｒ光源２１０とＧ光源２２０とＢ光源２３０とにより構成されている。また、各光源（Ｒ光源２１０、Ｇ光源２２０、Ｂ光源２３０）は、それぞれ２個ずつの光源で構成されている。この構成により、各光源による輝度を固定した場合において、１つの光源を用いてその輝度を出すための色光の出射による発熱に対して、２個の光源を用いてその輝度を出すために出射させる場合には、発熱量を２個の光源に分けることができ、光源の発熱量を下げることが可能となる。また、光源で発生する分けられた熱は、伝熱部材としての熱伝導性シート８００により上ケース１１の内面１ｇに伝熱する。そして、熱伝導性を有し、しかも熱伝導率が高いアルミニウム合金で形成された上ケース１１は、伝熱された熱を上ケース１１の外面側の全面から外気の対流により放熱させて冷却することができる。また、上ケース１１の外面側となる上面部１ａに有するフィン７０により放熱するため、放熱効率を向上させることができる。従って、光源構成部２００が有する各光源で発生する熱の冷却効率を向上させることが可能となる。その結果、各光源の発光効率の低下を防止できる。
【００６４】
（２）本実施形態によれば、２個ずつに分けられた光源は、上ケース１１の上面部１ａの内面１ｇの平面領域に分散されて配設されることにより、分けられた光源を隣接して配設する場合に隣の光源の熱の影響を受けることを防止できるため、光源に発生する熱を更に効率的に冷却することが可能となる。その結果、各光源の発光効率の低下を防止できる。
【００６５】
（３）本実施形態によれば、上ケース１１の上面部１ａに冷却ファン８０を設置し、吸気孔６１０を形成したカバー部材６００を載置し固定している。この構成により、上ケース１１の上面部１ａとフィン７０とカバー部材６００とで流路７２と排気孔７５が構成される。そして、冷却ファン８０の駆動により、外気が吸気孔６１０から吸気されて、流路７２内を流動し、上ケース１１の上面部１ａ、フィン７０及びカバー部材６００に伝熱した光源の熱を奪い排気孔７５からプロジェクタ１の外部に熱を効率的に排気することができる。特に、フィン７０での放熱効率を向上させることができる。この構成により、発熱する光源の冷却効率を向上させることができる。その結果、各光源の発光効率の低下を防止できる。
【００６６】
なお、本発明は、上述した実施形態に限定されず、種々の変更や改良などを加えることが可能である。変形例を以下に述べる。
【００６７】
（変形例１）本実施形態において、各光源（Ｒ光源２１０、Ｇ光源２２０、Ｂ光源２３０）は、各光源による輝度を固定した場合において、各光源に対して２個の光源を用いて出射させることにより、１つの光源を用いて色光を出射する場合の発熱を２個の光源を用いることにより発熱量を分けている。しかし、これに限らず、本発明の構成により光源の冷却に余裕がある場合には、１つの光源での輝度を２つの光源に分けるのではなく、例えば同じ輝度の光源を２つ用いることでも良い。このようにすることにより、冷却可能で、しかも輝度を向上（この場合、輝度は２倍向上）させることができる。
【００６８】
（変形例２）本実施形態において、各光源（Ｒ光源２１０、Ｇ光源２２０、Ｂ光源２３０）は、それぞれ２個の光源を用いている。しかし、これに限らず、複数（例えば３個）の光源を使用しても良い。それにより、冷却効率を向上させることが可能となる。
【００６９】
（変形例３）本実施形態において、光学系は、３色（赤色光、緑色光、青色光）を発光させる各光源（Ｒ光源２１０、Ｇ光源２２０、Ｂ光源２３０）を基にした構成となっている。しかし、これに限らず、１色（すべての色光を含む光）を発光させる光源を用いて、その光源を複数に分けて、冷却する構成としても良い。この場合には、色変調光学系としての液晶ライトバルブは、カラーの液晶ライトバルブが好ましい。また、ロッドインテグレータも１つのロッドインテグレータで構成することができる。クロスダイクロイックプリズム５００も不用となる。
【００７０】
（変形例４）本実施形態において、ロッドインテグレータ１００は、無垢（中身の詰まった）のロッドインテグレータを使用しているが、これに限らず、中空のロッドインテグレータを使用することでも良い。
【００７１】
（変形例５）本実施形態においては、ロッドインテグレータ１００を使用する構造となっているが、フライアイインテグレータを使用する構造にも採用することができる。
【００７２】
（変形例６）前記実施形態において、フィン７０は、上ケース１１の上面部１ａに形成している。しかし、これに限らず、筐体１０（上ケース１１）の側面にフィンを形成しても良い。このように外気の対流による影響を受け易い場所にフィンを形成することにより、放熱効率を向上させることができる。従って、発熱する各光源の冷却効率を向上することができ、各光源の発光効率の低下を防止できる。
【００７３】
（変形例７）前記実施形態において、筐体１０を構成する上ケース１１、下ケース１２及びカバー部材６００は、熱伝導性の部材で熱伝導率が高いアルミニウム合金で形成されている。しかし、これに限らず、熱伝導性を有し、熱伝導率が高い金属で形成することでも良い。例えば、銅合金やマグネシウム合金などの金属で形成しても良く、前記実施形態における同様の効果を得ることができる。
【００７４】
（変形例８）前記実施形態において、カバー部材６００は、熱伝導性を有し、熱伝導率が高いアルミニウム合金で形成されて、上ケース１１からの熱を伝熱され放熱することで、発熱する素子の冷却効率を向上させている。しかし、カバー部材６００が熱伝導性を有さなくても発熱する素子を冷却することができる場合においては、カバー部材６００を形成する材料として、熱伝導性を有さない例えばプラスチック材料などで構成することでも良い。これにより、カバー部材６００を構成する材質や色などを選択する自由度が拡大する。
【００７５】
（変形例９）前記実施形態におけるプロジェクタ１は、冷却ファン８０及びカバー部材６００を有して構成されている。しかし、これに限らず、各光源で発生する熱を上ケース１１や、上ケース１１に形成するフィン７０による放熱で冷却することが可能な場合には、冷却ファン８０及びカバー部材６００は不必要となり、プロジェクタ１の小型化が図れる。
【００７６】
（変形例１０）前記実施形態での筐体１０の構成方法、フィン７０の設置位置、冷却ファンの個数や設置位置、カバー部材６００の形状や固定方法、吸気孔６１０や排気孔７５の構成方法、光源構成部２００を構成する光源の個数などは、前記実施形態に限定されるものではなく、発明の要旨を変更しない範囲で適宜変更や改良を行っても良い。
【００７７】
（変形例１１）前記実施形態でのプロジェクタ１は、透過型液晶方式のプロジェクタである。しかし、これに限らず、ＤＬＰ（登録商標）（Digital Light Processing）方式、及び、反射型液晶方式であるＬＣＯＳ（Liquid Crystal On Silicon）方式などを採用したプロジェクタであっても良い。
【図面の簡単な説明】
【００７８】
【図１】本発明の実施形態に係るプロジェクタの概略斜視図である。
【図２】プロジェクタの光学系を底面部側から見た概略平面図である。
【図３】プロジェクタの光学系において、赤色光での構成を示す概略斜視図である。
【図４】プロジェクタの上ケースを上面から見た概略平面図である。
【図５】プロジェクタの冷却構造を示す概略断面図である。
【図６】プロジェクタの回路系を構成する回路ブロック図である。
【符号の説明】
【００７９】
１…プロジェクタ、１ａ…上面部、１ｇ…内面、１ｈ…内面、１０…筐体、１１…上ケース、１２…下ケース、３４…ＬＣＤ駆動部、３８…制御部、３９…ＬＥＤ制御部、４０…冷却ファン制御部、５２…スクリーン、７０…フィン、７２…流路、７５…排気孔、８０…冷却ファン、８１…第１冷却ファン、８２…第２冷却ファン、８５…送風孔、１００…ロッドインテグレータ、１１０…Ｒロッドインテグレータ、１１１…第１Ｒロッドインテグレータ、１１１Ａ…光入射面、１１１Ｂ…光出射面、１１２…第２Ｒロッドインテグレータ、１１２Ｂ…光出射面、１１３…集合Ｒロッドインテグレータ、１１３Ａ…光入射面、１１３Ｂ…光出射面、１２０…Ｇロッドインテグレータ、１２１…第１Ｇロッドインテグレータ、１２２…第２Ｇロッドインテグレータ、１２３…集合Ｇロッドインテグレータ、１３０…Ｂロッドインテグレータ、１３１…第１Ｂロッドインテグレータ、１３２…第２Ｂロッドインテグレータ、１３３…集合Ｂロッドインテグレータ、２００…光源構成部、２１０…Ｒ光源、２１１…第１Ｒ光源、２１２…第２Ｒ光源、２２０…Ｇ光源、２２１…第１Ｇ光源、２２２…第２Ｇ光源、２３０…Ｂ光源、２３１…第１Ｂ光源、２３２…第２Ｂ光源、３００…液晶ライトバルブ、３１０…Ｒライトバルブ、３２０…Ｇライトバルブ、３３０…Ｂライトバルブ、４００…投写レンズユニット、４１０…投写レンズ、４２０…投写レンズ保持部材、４３０…投写レンズ固定部材、５００…クロスダイクロイックプリズム、６００…カバー部材、６１０…吸気孔、７００…回路ユニット、８００…熱伝導性シート。
【図１】
2006337425.tif 000003
【図２】
2006337425.tif 000004
【図３】
2006337425.tif 000005
【図４】
2006337425.tif 000006
【図５】
2006337425.tif 000007
【図６】
2006337425.tif 000008